(57)【要約】  【課題】複数の画像データを結合させて例えばファクシミリ送信する場合でも、送信する複数の画像データを送信する前に短時間で確実に確認することができる画像送信装置を提供する。  【解決手段】ファクシミリ複合機１（画像送信装置）は、送信データ生成手段１２及び外部送信手段（ファクシミリ送信部１８）を備えており、接続されたユーザ端末装置８０からの指示に基づいて、１又は２以上の画像データ３１から送信データ３２を生成し、この送信データ３２をユーザ端末装置８０から指定された送信先に送信する。また、ファクシミリ複合機１は、送信データ３２から少なくとも一部のページを抽出してプレビュー画像を３３生成するプレビュー画像生成手段１４を備えている。そして、２以上の画像データ３１が送信データ３２に含まれる場合に、それぞれの画像データ３１の一部のページを抽出してプレビュー画像３３を生成する。【選択図】  図２
2009267763.tif 000002
【特許請求の範囲】
【請求項１】
ユーザ端末装置を接続可能な画像送信装置において、
１又は２以上のページからなる画像データを記憶する画像データ記憶手段と、
上記ユーザ端末装置からの指示に基づいて、上記画像データから送信データを生成する送信データ生成手段と、
上記送信データから少なくとも一部のページを抽出してプレビュー画像を生成するプレビュー画像生成手段と、
上記プレビュー画像を上記ユーザ端末装置へ送信するプレビュー画像送信手段と、
ユーザ端末装置からの指示に基づいて、上記ユーザ端末装置から指定された送信先に上記送信データを送信する外部送信手段とを備え、
上記送信データ生成手段は、上記画像データ記憶手段に保持されている２以上の上記画像データをマージして上記送信データを生成することができ、
上記プレビュー画像生成手段は、上記送信データに含まれる２以上の上記画像データから、それぞれ一部のページを抽出して上記プレビュー画像を生成することを特徴とする画像送信装置。
【請求項２】
上記プレビュー画像生成手段は、上記送信データに含まれる２以上の上記画像データの先頭ページをそれぞれ抽出し、上記プレビュー画像を生成することを特徴とする請求項１に記載の画像送信装置。
【請求項３】
上記プレビュー画像生成手段は、抽出されたページの解像度をそれぞれ低下させることにより、上記プレビュー画像を生成することを特徴とする請求項２に記載の画像送信装置。
【発明の詳細な説明】
【技術分野】
【０００１】
本発明はファクシミリ装置などの画像送信装置に関するものであり、さらに詳しくは、ユーザ端末装置が接続可能であって、ユーザ端末装置からの指示に基づいてプレビュー画像を生成して表示させる画像送信装置に関するものである。
【背景技術】
【０００２】
画像送信装置としてのファクシミリ装置は、画像をＰＳＴＮ（公衆電話交換回線網）によって送信する装置である。また、ファクシミリ装置は、送信する画像データを記憶させておき、ファクシミリ装置に接続されたユーザ端末装置からの指示に基づいて送信する画像の選択や送信の実行を行うようにしたものがある（いわゆるＰＣ−ＦＡＸ）。
【０００３】
このような方法で画像を送信するファクシミリ装置は、従来のファクシミリ送信のように、紙原稿をデータ化してすぐ送信する場合と異なり、蓄積された複数の画像データの中から所定の画像データを選択して送信するため、誤った画像データが送信される可能性がある。このように誤った画像データが送信されないようにするため、通常は、送信される画像を表示するプレビュー表示を行って、画像の内容が確認できるようにしている。なお、送信される画像のプレビュー表示を行う技術が開示されたファクシミリ機能を有する画像形成装置は、例えば、特許文献１に示されている。
【特許文献１】特開２００４−０５６６５８
【発明の開示】
【発明が解決しようとする課題】
【０００４】
上記ファクシミリ装置は、関連のある複数のページを１個の画像データとして記憶部分に記憶させる場合、TIFF（Tag Image File Format）フォーマットのマルチページファイル（Multi-TIFF）やPortable Document Format (PDF)などを用いて保存している。そして、複数ページを１個の画像データとして保存することにより、個々のページを別々の画像データとして保存する場合に比べて、画像データの管理などは行いやすくなる。
【０００５】
しかしながら、このようなマルチページの画像データは、ページ数が多くなるとデータ容量が大きくなる。そのため、全てのページのプレビュー表示を行うと、ファクシミリ装置とユーザ端末装置であるパーソナルコンピュータとの間のデータの送信時間が長くなり、プレビュー表示が行われるまで時間がかかってしまう。特に、マルチページの画像データが複数合わされてファクシミリ送信が行われる場合、全体のデータ容量がさらに大きくなるため、全ての画像データに対して各ページのプレビュー表示を行うと、さらに時間がかかってしまう。
【０００６】
また、送信される１又は２以上の画像データのうち、最初の画像データの最初のページだけをプレビュー表示することにより、ファクシミリ装置とパーソナルコンピュータとの間のデータの送信時間は短くすることができる。この場合、１つの画像データを送信するときは、最初のページのプレビュー表示により画像データの確認は十分行えるが、複数の画像データを合わせて送信するときは、最初の画像データ以外の画像データについて正しく選択されたかどうかを確認することができない。
【０００７】
そこで、本発明は、複数の画像データを結合させて送信データを生成し、この送信データを送信先に送信する場合でも、上記送信データを送信する前にユーザ端末装置において各画像データを短時間で確実に確認することができるユーザ端末装置を接続可能な画像送信装置を提供することを目的とするものである。
【課題を解決するための手段】
【０００８】
第１の本発明による画像送信装置は、ユーザ端末装置を接続可能な画像送信装置において、１又は２以上のページからなる画像データを記憶する画像データ記憶手段と、上記ユーザ端末装置からの指示に基づいて、上記画像データから送信データを生成する送信データ生成手段と、上記送信データから少なくとも一部のページを抽出してプレビュー画像を生成するプレビュー画像生成手段と、上記プレビュー画像を上記ユーザ端末装置へ送信するプレビュー画像送信手段と、ユーザ端末装置からの指示に基づいて、上記ユーザ端末装置から指定された送信先に上記送信データを送信する外部送信手段とを備え、上記送信データ生成手段は、上記画像データ記憶手段に保持されている２以上の上記画像データをマージして上記送信データを生成することができ、上記プレビュー画像生成手段は、上記送信データに含まれる２以上の上記画像データから、それぞれ一部のページを抽出して上記プレビュー画像を生成するように構成される。
【０００９】
本発明の画像送信装置は、この様な構成により、２以上の画像データをマージして生成された送信データを上記ユーザ端末装置において指定された送信先に送信する前に、上記送信データの各画像データから、それぞれ一部のページを抽出して上記プレビュー画像を生成した後、各画像データに対応したプレビュー画像を上記ユーザ端末装置へ送信して表示させることができる。その結果、本発明の画像送信装置は、画像データの全てをプレビュー表示する場合に比べてプレビュー画像のデータ容量を小さくして短時間でプレビュー表示が可能となり、しかも、送信される各画像データを確実に確認することができる。
【００１０】
上記外部送信手段としては、例えば、上記送信データを電子メールに添付して送信するメール送信手段や、上記送信データをファクシミリ送信するファクシミリ送信手段などが挙げられる。さらに、上記送信データを上記ユーザ端末装置において指定された送信先に送信する場合には、ネットワークを介して上記送信先へ送信することができる。
【００１１】
第２の本発明による画像送信装置は、上記構成に加えて、上記プレビュー画像生成手段は、上記送信データに含まれる２以上の上記画像データの先頭ページをそれぞれ抽出し、上記プレビュー画像を生成するように構成される。
【００１２】
本発明の画像送信装置は、この様な構成により、それぞれの画像データの先頭ページのプレビュー画像によってプレビュー表示が行われるので、画像データが正しく選択されたかどうかの確認が行いやすくなる。
【００１３】
第３の本発明による画像送信装置は、上記構成に加えて、上記プレビュー画像生成手段は、抽出されたページの解像度をそれぞれ低下させることにより、上記プレビュー画像を生成するように構成される。
【００１４】
本発明の画像送信装置は、この様な構成により、プレビュー画像のデータ容量をできるだけ小さくすることができるので、上記プレビュー画像をユーザ端末装置へ送信する時間はさらに短くできる。
【発明の効果】
【００１５】
本発明の画像送信装置では、プレビュー画像のデータ容量をできるだけ小さくすることにより、ユーザ端末装置へのプレビュー画像の送信時間を短くして短時間でプレビュー画像を表示でき、しかも、送信されるそれぞれの画像データを確実に確認することができるので、画像データが誤って送信されることを防止できる。
【発明を実施するための最良の形態】
【００１６】
図１は、本発明の実施の形態による画像送信装置としてのファクシミリ複合機の一構成例を示したブロック図である。このファクシミリ複合機１は、ディスプレイからなる表示部８１と、キーボードやマウスなどにより構成される操作入力部８２とを有するユーザ端末装置８０と接続されている。
【００１７】
ファクシミリ複合機１は、ＰＳＴＮ（公衆電話交換回線網）に接続されており、図示しない他のファクシミリ装置との間で文書情報の送受信（ファクシミリ送受信）を行うことができる。また、ファクシミリ複合機１は、メールサーバに接続されており、メールサーバを通じて電子メールを送信することができる。
【００１８】
ファクシミリ複合機１は、図２に示されるように、画像データ記憶部１１、送信データ生成部１２、送信データ記憶部１３、プレビュー画像生成部１４、プレビュー画像記憶部１５、スキャナ装置１６、ユーザ端末インターフェイス１７、ファクシミリ送信部１８及びメール送信部１９により構成される。
【００１９】
画像データ記憶部１１は画像データ３１を記憶する。スキャナ装置１６によって紙媒体に記録されている画像情報を読み取った画像データ３１や、ユーザ端末装置８０からユーザ端末インターフェイス１７を介して送信された画像データ３１が画像データ記憶部１１に保存される。各画像データ３１は、１又は２以上のページからなる画像ファイルであり、具体的には、TIFFフォーマットのシングルページファイルやマルチページファイルである。また、各画像データ３１には固有のＩＤが付与されており、このＩＤによって個々の画像データ３１を識別することができるようになっている。
【００２０】
送信データ生成部１２は、ファクシミリ送信や電子メール送信により送信される送信データ３２を生成する。この送信データ３２は、ユーザ端末装置８０からの指示に基づいて、１又は２以上の画像データ３１から生成される。
【００２１】
例えば、１つの画像データ３１から送信データ３２を生成する場合には、この画像データ３１をそのまま送信データ３２として用いる。また、２以上の画像データ３１から送信データ３２を生成する場合には、これらの画像データ３１をマージによって合成して送信データ３２を生成する。
【００２２】
本実施の形態では、マージとは、２つの画像データ３１を合成して送信データ３２を生成する際、一方の画像データ３１の先頭ページが、他方の画像データ３１の最終ページに続くページとなるように、これらの画像データ３１を合成する処理である。また、３以上の画像データ３１をマージにより合成する場合には、ある画像データ３１の最終ページに続くページが別の画像データ３１の先頭ページとなり、この別の画像データ３１の最終ページに続くページが、さらに別の画像データ３１の先頭ページとなるように、全体が一連のページとなるように合成が行われる。
【００２３】
送信データ記憶部１３は、送信データ生成部１２で生成された送信データ３２を記憶する。この送信データ３２は、ファクシミリ送信部１８やメール送信部１９から、ファクシミリ送信や電子メール送信によって外部へと送信される。
【００２４】
ファクシミリ送信部１８はＰＳＴＮと接続されており、ファクシミリ送信を行う。そして、ファクシミリ送信時には、送信データ３２を符号化してファクシミリ通信情報としてＰＳＴＮへ送出する。
【００２５】
また、メール送信部１９はメールサーバと接続されており、電子メール送信を行う。そして、メール送信部１９は、送信データ３２を電子メールに添付して電子メール送信する手段であり、送信データ３２が添付された電子メールをメールサーバへ送出する。本実施の形態では、ファクシミリ送信部１８及びメール送信部１９が、ユーザ端末装置８０からの指示に基づいて、ユーザ端末装置８０から指定された送信先にファクシミリ送信や電子メール送信を行う外部送信手段となる。
【００２６】
プレビュー画像生成部１４は、ユーザ端末装置８０の表示部８１にプレビュー表示されるプレビュー画像３３を生成する。このプレビュー画像３３は、ユーザ端末装置８０からの指示に基づいて、送信データ３２に含まれる画像データ３１から少なくとも一部のページを抽出して生成される。即ち、プレビュー画像３３は、送信データ３２に含まれる画像データ３１の一部のページの画像を抜き出して生成することもできるし、送信データ３２の全部のページの画像を用いて生成することもできる。なお、本実施の形態では、プレビュー画像３３は、TIFFフォーマットのシングルページファイルやマルチページファイルが用いられるが、他の形式のファイルを用いても良い。
【００２７】
２以上の画像データ３１を合成して送信データ３２が生成される場合には、プレビュー画像３３は、送信データ３２の最初の画像データ３１の先頭ページのみを抽出して生成することもできるし、この送信データ３２に含まれる２以上の画像データ３１から、それぞれ一部のページを抽出して生成することもできる。各画像データ３１から一部のページを抽出してプレビュー画像３３を生成する場合、プレビュー画像３３は、それぞれの画像データ３１の先頭ページを抽出して生成することが好ましい。
【００２８】
プレビュー画像記憶部１５は、プレビュー画像生成部１４で生成されたプレビュー画像３３を記憶する。そして、このプレビュー画像３３は、ユーザ端末インターフェイス１７からユーザ端末装置８０に送出され、表示部８１にプレビュー画像３３が表示される。
【００２９】
スキャナ装置１６は、紙媒体に記録されている画像情報から画像データ３１を生成する装置である。例えば、紙媒体に光を照射し、その反射光をラインセンサなどを用いて読み取って画像データ３１を生成する光学読取装置がスキャナ装置１６として用いられる。
【００３０】
ユーザ端末インターフェイス１７はケーブルを介してユーザ端末装置８０と接続されている。ファクシミリ複合機１とユーザ端末装置８０との情報のやり取りは、ユーザ端末インターフェイス１７を介して行われる。
【００３１】
図３は、画像データ記憶部１１に記憶される画像データ３１（３１ａ，３１ｂ）、送信データ記憶部１３に記憶される送信データ３２、そして、プレビュー画像記憶部１５に記憶されるプレビュー画像３３の関係を概念的に示した図である。
【００３２】
本実施の形態では、画像データ記憶部１１に記憶されている複数の画像データ３１のうち、３ページの画像から成る第１の画像データ３１ａと、２ページの画像から成る第２の画像データ３１ｂとを用いて送信データ３２が生成される場合について説明する。
【００３３】
まず、送信データ生成部１２は、第１の画像データ３１ａと第２の画像データ３１ｂとをマージして全体が５ページの送信データ３２を生成する。生成された送信データ３２は、第２の画像データ３１ｂの先頭ページが、第１の画像データ３１ａの最終ページに続くように、第１の画像データ３１ａと第２の画像データ３１ｂとが合成されている。具体的には、第１の画像データ３１ａのＰ１〜Ｐ３の画像が送信データ３２のＰ１〜Ｐ３の画像となり、第２の画像データ３１ｂのＰ１、Ｐ２の画像が送信データ３２のＰ４、Ｐ５の画像となっている。
【００３４】
そして、プレビュー画像生成部１４は、送信データ３２の一部を抽出してプレビュー画像３３を生成する。この例においては、送信データ３２のＰ１とＰ４の画像を抽出してプレビュー画像３３が生成される。即ち、第１の画像データ３１ａ及び第２の画像データ３１ｂの先頭ページに対応するページとなる送信データ３２のＰ１とＰ４の画像が抽出されてプレビュー画像３３が生成される。
【００３５】
このように、生成されたプレビュー画像３３は、プレビュー画像送信手段となるユーザ端末インターフェイス１７を介してユーザ端末装置８０へ送信され、ユーザ端末装置８０へ送信されたプレビュー画像３３が表示部８１にプレビュー表示される。
【００３６】
次に、ユーザ端末装置８０が接続されたファクシミリ複合機１を用いてファックシミリ送信又はメール送信を行う方法について図４〜図６に示すフローチャート及び図７及び図８に示す表示画面の画像を用いて説明する。なお、以下の説明では、画像データ３１として文字を含む画像がデータ化された文書データを用いた場合について説明する。
【００３７】
ファックシミリ送信する場合の全体の流れは、図４に示されるように、まず、ユーザ端末装置８０においてファックシミリ送信する送信文書が選択される（ステップＳ１０１）。次に、プレビュー表示を実行するか否かが判断され（ステップＳ１０２）、プレビュー表示を実行すると判断された場合には、プレビュー表示を行う（ステップＳ１０３）。そして、プレビュー表示を行わない場合にはそのまま次の送信実行を行うか否かの判断がなされ（ステップＳ１０４）、プレビュー表示を行う場合には、このプレビュー表示を行った後に、送信実行を行うか否かの判断がなされる（ステップＳ１０４）。送信実行を行うと判断された場合には、ファックシミリ送信又は電子メール送信が行われる（ステップＳ１０５）。具体的な操作は、以下のようにして行われる。
【００３８】
本実施形態のファクシミリ複合機１では、送信文書の選択を行う場合には、図７に示されるような送信文書選択画面を表示部８１に表示させて行う。この送信文書選択画面では、画像データ記憶部１１に記憶されている文書データが一覧で表示されており、文書データに対応して設けられている四角いチェックマークをチェックすることにより文書を選択することができる。そして、送信を行う文書をチェックした後、「選択終了」をクリックして文書選択を完了する。
【００３９】
送信する文書が確定されると、ユーザ端末装置８０からファクシミリ複合機１へ送信データ３２の生成の指示がなされる。具体的には、送信される画像データ３１のＩＤと順序が送信データ生成部１２へ送出され、送信データ生成部１２によって送信データ３２が生成され、生成された送信データ３２が送信データ記憶部１３に保存される。
【００４０】
一方、ユーザ端末装置８０の表示部８１では、送信文書選択画面が閉じ、図８に示されるような送信画面が表示される。この送信画面では、ファックス送信及び電子メール送信が選択できるようになっており、操作入力部８２を操作することによって、送信の実行、プレビュー表示の実行、送信に必要な情報の入力などを行う。
【００４１】
プレビュー表示を行う場合には、まず、操作入力部８２を用いてユーザ端末装置８０の表示部８１に表示されるプレビュー表示の種類を選択し、さらに、送信画面の送信文書欄の「プレビュー」部分をクリックして実行することにより行われる。プレビュー表示の種類としては、送信される文書の先頭ページのみを表示させる先頭ページ表示と、合成された複数の文書のそれぞれの先頭ページを表示させる各文書先頭ページ表示と、送信される文書の全ページを表示させる全ページ表示とがある。これらのページ表示の中からユーザがプレビュー表示の種類を選択するようになっている。具体的な操作は、図８に示される送信画面の送信文書欄の「先頭ページ」、「各文書先頭ページ」、「全ページ」のいずれかを選択した後、「プレビュー」部分をクリックする。
【００４２】
この送信画面でプレビュー表示の種類を選択する場合、送信文書選択画面で選択された文書データの数や、各文書データのページ数によって、送信文書欄の「先頭ページ」、「各文書先頭ページ」、「全ページ」の表示状態が変わるようになっている。
【００４３】
この「先頭ページ」、「各文書先頭ページ」、「全ページ」の表示のユーザ端末装置８０における制御について、図５のフローチャートを用いて説明する。まず、複数の文書が選択されているかどうかが判断される（ステップＳ１１１）、複数の文書が選択されている場合には（ステップＳ１１１でＹＥＳ）、送信文書欄には「先頭ページ」、「各文書先頭ページ」、「全ページ」の何れもが選択可能に表示される（ステップＳ１１２）。
【００４４】
また、１つの文書しか選択されていない場合には（ステップＳ１１１でＮＯ）、さらに、その文書が複数ページであるか否かの判断がなされる（ステップＳ１２０）、複数ページの場合には（ステップＳ１２０でＹＥＳ）、送信文書欄には「先頭ページ」、「全ページ」は選択可能で、「各文書先頭ページ」は選択できないように表示される（ステップＳ１２１）。その文書が１ページのみの場合には（ステップＳ１２０でＮＯ）、送信文書欄には「先頭ページ」のみが選択できるように表示される（ステップＳ１２２）。
【００４５】
そして、プレビュー表示の種類を選択して「プレビュー」部分をクリックして実行すると、プレビュー表示の種類が確定し、ユーザ端末装置８０からファクシミリ複合機１へプレビュー画像３３の生成の指示がなされる。この指示は、プレビュー画像３３に用いられる画像データ３１のＩＤと、先頭ページか全ページかのいずれかである情報がプレビュー画像生成部１４へ送出されることによって行われており、この送出にはHTTP Post Methodが用いられている。
【００４６】
プレビュー画像３３の生成の指示の制御について図５を用いて詳しく説明する。複数の送信文書が選択され、送信文書欄に「先頭ページ」、「各文書先頭ページ」、そして、「全ページ」が選択可能に表示されている場合（ステップＳ１１２）について説明する。「先頭ページ」のプレビュー表示が選択された場合には、先頭ページのプレビュー表示を行うか否かの判断がなされ（ステップＳ１１３）、先頭ページのプレビュー表示を行うと判断されると（ステップＳ１１３でＹＥＳ）、最初の文書のＩＤと先頭ページをプレビュー表示する指示とがファクシミリ複合機１のプレビュー画像生成部１４へ送信される（ステップＳ１１４）。
【００４７】
また、「各文書先頭ページ」のプレビュー表示が選択された場合には、先頭ページのプレビュー表示を行うか否かの判断がなされて、しないと判断された後（ステップＳ１１３でＮＯ）、さらに、各文書の先頭ページのプレビュー表示を行うか否かの判断がなされる（ステップＳ１１５）。そして、各文書の先頭ページのプレビュー表示を行うと判断されると(ステップＳ１１５でＹＥＳ)、選択したそれぞれの文書のＩＤと各文書の先頭ページをプレビュー表示する指示とがファクシミリ複合機１のプレビュー画像生成部１へ送信される（ステップＳ１１６）。
【００４８】
複数文書からなる送信データに対して「全ページ」のプレビュー表示が選択された場合には、ステップＳ１１３において、先頭ページのプレビュー表示を行わないと判断がなされた後（ステップＳ１１３でＮＯ）、ステップＳ１１５において、各文書の先頭ページのプレビュー表示を行わないとの判断がなされる（ステップＳ１１５でＮＯ）。各文書の先頭ページのプレビュー表示を行わないと判断されると、全ページのプレビュー表示を行うという指示が、選択したそれぞれの文書のＩＤと共にファクシミリ複合機１のプレビュー画像生成部１へ送信される（ステップＳ１１７）。
【００４９】
次に、複数ページを有する１の文書が選択され、送信文書欄に「先頭ページ」及び「全ページ」が選択可能に表示されている場合（ステップＳ１２１）について説明する。「先頭ページ」のプレビュー表示が選択された場合には、先頭ページのプレビュー表示を行うか否かの判断がなされ（ステップＳ１２３）、先頭ページのプレビュー表示を行うと判断されると（ステップＳ１２３でＹＥＳ）、選択した文書のＩＤと先頭ページをプレビュー表示する指示とがファクシミリ複合機１のプレビュー画像生成部１へ送信される（ステップＳ１２４）。
【００５０】
また、複数ページを有する１の文書が選択され、「全ページ」のプレビュー表示が選択された場合には、先頭ページのプレビュー表示を行うか否かの判断がなされ（ステップＳ１２３）、先頭ページのプレビュー表示を行わないと判断されると（ステップＳ１２３でＮＯ）、選択した文書のＩＤと全ページをプレビュー表示する指示とがファクシミリ複合機１のプレビュー画像生成部１へ送信される（ステップＳ１２５）。
【００５１】
次に、１ページの文書が１つ選択され、送信文書欄に「先頭ページ」のみ選択可能に表示されている場合（ステップＳ１２２）について説明する。「先頭ページ」のプレビュー表示が選択されると、選択した文書のＩＤと先頭ページをプレビュー表示する指示とがファクシミリ複合機１のプレビュー画像生成部１へ送信される（ステップＳ１２４）。
【００５２】
このように文書のＩＤと、先頭ページ又は全ページのプレビュー表示の指示とがプレビュー画像生成部１４に送信されることにより、プレビュー画像生成部１４によってプレビュー画像３３が生成される。
【００５３】
次に、ファクシミリ複合機１におけるプレビュー画像３３を生成する制御について図６を用いて説明する。ファクシミリ複合機１は、先頭ページ又は全ページのプレビュー表示の指示が受信されたか否かが常に判断されている（ステップＳ１３１）。そして、ファクシミリ複合機１がプレビュー表示の指示を受信すると（ステップＳ１３１でＹＥＳ）、複数の文書のＩＤを受信したか否かが判断される（ステップＳ１３２）。
【００５４】
複数の文書のＩＤを受信した場合には（ステップＳ１３２でＹＥＳ）、先頭ページのプレビュー表示の指示を受信したか否かの判断がなされる（ステップＳ１３３）。先頭ページのプレビュー表示の指示を受信した場合には（ステップＳ１３３でＹＥＳ）、最初の文書ＩＤの画像から先頭ページのみの画像を抜き出してプレビュー画像３３を作成する（ステップＳ１３４）。
【００５５】
複数の文書のＩＤを受信し、各文書の先頭ページのプレビュー表示の指示を受信した場合には、先頭ページのプレビュー表示の指示を受信していないと判断がなされ（ステップＳ１３３でＮＯ）、さらに、各文書の先頭ページのプレビュー表示の指示を受信したか否かの判断がなされる（ステップＳ１３５）。そして、各文書の先頭ページのプレビュー表示の指示を受信したと判断されると（ステップＳ１３５でＹＥＳ）、それぞれの文書ＩＤの画像からの先頭ページのみの画像を抜き出してプレビュー画像３３を作成する（ステップＳ１３６）。
【００５６】
複数の文書のＩＤを受信し、全ページのプレビュー表示の指示を受信した場合には、先頭ページのプレビュー表示の指示を受信していないと判断がなされ（ステップＳ１３３でＮＯ）、さらに、各文書の先頭ページのプレビュー表示の指示を受信したか否かの判断がなされる（ステップＳ１３５）。各文書の先頭ページのプレビュー表示の指示を受信していないと判断されると（ステップＳ１３５でＮＯ）、各文書ＩＤの画像から全ページの画像を抜き出してプレビュー画像３３を作成する（ステップＳ１３７）。
【００５７】
また、１つの文書のＩＤを受信した場合（ステップＳ１３２でＮＯ）には、先頭ページのプレビュー表示の指示を受信したか否かの判断がなされる（ステップＳ１３８）。先頭ページのプレビュー表示の指示を受信した場合には（ステップＳ１３８でＹＥＳ）、文書ＩＤの画像から先頭ページのみの画像を抜き出してプレビュー画像３３を作成する（ステップＳ１３９）。また、１つの文書のＩＤを受信し、全ページのプレビュー表示の指示を受信した場合には（ステップＳ１３８でＮＯ）、文書ＩＤの画像から全ページの画像を抜き出してプレビュー画像３３を作成する（ステップＳ１４０）。
【００５８】
これらのプレビュー画像３３はプレビュー画像記憶部１３に保存される。また、このプレビュー画像３３はTIFFフォーマットで作成されるものであり、さらに詳しく説明すると、１ページの先頭ページのみでプレビュー表示する場合には、Single-TIFFで作成し（ステップＳ１３４，Ｓ１３９）、複数のページをプレビュー表示する場合は、Multi-TIFFで作成する（ステップＳ１３６，Ｓ１３７，Ｓ１４０）。
【００５９】
作成された各プレビュー画像３３は、HTTPのResponseデータとして、ユーザ端末装置８０に送信され（ステップＳ１４１）、ユーザ端末装置８０の表示部８１にプレビュー画像３３がプレビュー表示される。
【００６０】
ファクシミリ送信を行う場合は、図８に示す送信画面において、ファクシミリ送信宛先（ファクシミリ番号）の入力を行い、プレビュー画像３３を確認した後、「送信」をクリックして送信指示を実行すると、ファクシミリ送信部１８から送信データ３２を指定した宛先にファクシミリ送信することができる。
【００６１】
また、電子メール送信を行う場合には、送信画面において電子メール送信宛先（電子メールアドレス）を入力し、プレビュー画像３３を確認した後、「送信」をクリックして送信指示を実行すると、送信データ３２を電子メールに添付して送信することができる。
【００６２】
プレビュー画像生成部１４で生成されるプレビュー画像３３の解像度は、元の画像の解像度と同じであっても良いが、抽出されたページの解像度を低下させてプレビュー画像３３を生成するようにしても良い。解像度を低下させることにより、プレビュー画像のデータ容量をできるだけ小さくすることができるので、プレビュー画像をユーザ端末装置へ送信する時間はさらに短くできる。
【００６３】
なお、上記実施の形態では、画像送信装置としてファクシミリ送信及び電子メール送信を行うファクシミリ複合機を用いた場合について説明したが、本発明の画像送信装置は、ファクシミリ装置に限定されない。本発明の画像送信装置は、送信データをファクシミリ送信及び電子メール送信するだけでなく、ＦＴＰ（File Transfer Protocol）、ＨＴＴＰ（Hyper Text Transport Protocol）、ＩＰＰ（Internet Printing Protocol）等のプロトコルを用いて、指定された送信先に送信するように外部送信手段を構成することもできる。
【図面の簡単な説明】
【００６４】
【図１】本発明の実施の形態によるファクシミリ複合機とユーザー端末装置とを示したブロック図である。
【図２】本発明の実施の形態によるファクシミリ複合機の一構成例を示したブロック図である。
【図３】画像データ３１、送信データ３２及びプレビュー画像３３の関係を概念的に示した説明図である。
【図４】本発明の実施の形態によるファクシミリ複合機を用いて送信するまでを説明したフローチャートである。
【図５】送信画面に表示されるプレビュー表示の選択の表示状態の制御と、プレビュー表示指示の制御とを示すフローチャートである。
【図６】プレビュー画像の生成の指示を受けた際に行われるプレビュー画像の生成処理を示したフローチャートである。
【図７】送信文書選択画面を示す図である。
【図８】送信画面を示す図である。
【符号の説明】
【００６５】
１    ファクシミリ複合機
１１  画像データ記憶部
１２  送信データ生成部
１３  送信データ記憶部
１４  プレビュー画像生成部
１５  プレビュー画像記憶部
１６  スキャナ装置
１７  ユーザ端末インターフェイス
１８  ファクシミリ送信部
１９  メール送信部
３１  画像データ
３２  送信データ
３３  プレビュー画像
８０  ユーザ端末装置
８１  表示部
８２  操作入力部
【図１】
2009267763.tif 000003
【図２】
2009267763.tif 000004
【図３】
2009267763.tif 000005
【図４】
2009267763.tif 000006
【図５】
2009267763.tif 000007
【図６】
2009267763.tif 000008
【図７】
2009267763.tif 000009
【図８】
2009267763.tif 000010